(57)【要約】【課題】停電で外部電力の供給が停止した後には外部電力の再開後に自動復帰し、それ以外は自動復帰させない電源制御装置を提供する。【解決手段】電源制御装置は、外部電力に基づき、対象装置へ供給すべき直流電力を発生する電源部と、ユーザによる電源オンおよび電源オフの操作を受け付ける操作部と、情報を記憶する不揮発性記憶部と、操作部が電源オフの操作を受け付けた場合、対象装置に予め定められたシーケンスで対象装置への直流電力の供給をオフするとともに、正常に電源オフされたことを不揮発性記憶部に書き込む電源制御部とを備える。外部電力の供給が開始された場合、電源制御部は、所定の原因で外部電力の供給が停止したと判断した場合には、対象装置への直流電力の供給をオンとし、所定の原因以外で外部電力の供給が停止したと判断した場合には、対象装置への直流電力の供給をオフとする。【選択図】図１
2015041806.tif 000002
【特許請求の範囲】
【請求項１】
外部電力に基づき、対象装置へ供給すべき直流電力を発生する電源部と、
ユーザによる電源オンおよび電源オフの操作を受け付ける操作部と、
情報を記憶する不揮発性記憶部と、
前記操作部が電源オフの操作を受け付けた場合、前記対象装置に予め定められたシーケンスで前記対象装置への前記直流電力の供給をオフするとともに、正常に電源オフされたことを前記不揮発性記憶部に書き込む電源制御部と、
を備え、
前記外部電力の供給が開始された場合、前記電源制御部は、
正常に電源オフされたことが前記不揮発性記憶部に書き込まれていない場合、所定の原因で前記外部電力の供給が停止したかを判断し、
所定の原因で前記外部電力の供給が停止したと判断した場合には、前記対象装置への前記直流電力の供給をオンとし、所定の原因以外で前記外部電力の供給が停止したと判断した場合には、前記対象装置への前記直流電力の供給をオフとする
電源制御装置。
【請求項２】
前記外部電力の供給が開始された場合、前記電源制御部は、
正常に電源オフされたことが前記不揮発性記憶部に書き込まれていない場合には、正常に電源オフしなかった回数が設定値以下であるかを判断し、
正常に電源オフしなかった回数が設定値以下であると判断した場合には、前記対象装置への前記直流電力の供給をオンとし、正常に電源オフしなかった回数が設定値以下ではないと判断した場合には、前記対象装置への前記直流電力の供給をオフとする
請求項１に記載の電源制御装置。
【請求項３】
前記電源制御装置は、外部の機器とネットワークを介して接続する通信部を更に備え、
前記外部電力の供給が開始された場合、前記電源制御部は、
正常に電源オフされたことが前記不揮発性記憶部に書き込まれていない場合には、前記通信部を介してネットワーク上のサーバから停電情報を取得して、停電で前記外部電力の供給が停止したかを判断し、
停電で前記外部電力の供給が停止したと判断した場合には、前記対象装置への前記直流電力の供給をオンとし、停電以外の原因で前記外部電力の供給が停止したと判断した場合には、前記対象装置への前記直流電力の供給をオフとする
請求項１に記載の電源制御装置。
【請求項４】
前記電源制御装置は、外部の機器とネットワークを介して接続する通信部を更に備え、
前記外部電力の供給が開始された場合、前記電源制御部は、
正常に電源オフされたことが前記不揮発性記憶部に書き込まれていない場合には、前記通信部を介してネットワーク上の電力計から電力使用量を取得して、停電で前記外部電力の供給が停止したかを判断し、
停電で前記外部電力の供給が停止したと判断した場合には、前記対象装置への前記直流電力の供給をオンとし、停電以外の原因で前記外部電力の供給が停止したと判断した場合には、前記対象装置への前記直流電力の供給をオフとする
請求項１に記載の電源制御装置。
【請求項５】
前記電源制御部は、前記外部電力の供給の停止前と、前記外部電力の開始後との間に電力使用量の連続性がある場合には、停電で前記外部電力の供給が停止したと判断する
請求項４に記載の電源制御装置。
【請求項６】
前記電源制御装置は、外部の機器とネットワークを介して接続する通信部を更に備え、
前記電源制御部は、前記対象装置が接続された電源タップに対して電力供給の停止のコマンドが与えられた場合、前記電力供給の停止のコマンドが与えられたことを前記通信部を介して受信して、前記不揮発性記憶部に書き込み、
前記外部電力の供給が開始された場合、前記電源制御部は、
正常に電源オフされたことが前記不揮発性記憶部に書き込まれていない場合には、前記電力供給の停止のコマンドにより前記外部電力の供給が停止したかを判断し、
前記電力供給の停止のコマンドにより前記外部電力が停止したのではないと判断した場合には、前記対象装置への前記直流電力の供給をオンとし、
前記電力供給の停止のコマンドにより前記外部電力が停止したと判断した場合には、前記対象装置への電源供給をオフとする
請求項１に記載の電源制御装置。
【請求項７】
前記電源制御装置は、
外部の機器とネットワークを介して接続する通信部と、
前記外部電力の供給が停止した場合に前記電源制御部に電力を供給する電池と、
を更に備え、
前記電源制御部は、
前記外部電力の供給が停止した場合、前記通信部を介してネットワークに接続か否かを検出し、検出結果を前記不揮発性記憶部に書き込み、
前記外部電力の供給が開始された場合、前記電源制御部は、
正常に電源オフされたことが前記不揮発性記憶部に書き込まれていない場合には、前記外部電力の供給停止時に前記ネットワークに接続できたか判断し、
前記外部電力の供給停止時に前記ネットワークに接続できなかったと判断した場合には、前記対象装置への前記直流電力の供給をオンとし、
前記外部電力の供給停止時に前記ネットワークに接続できた場合には、前記対象装置への電源供給をオフとする
請求項１に記載の電源制御装置。
【請求項８】
前記対象装置は、画像データに応じた画像を形成する画像形成部を含む
請求項１から７の何れか１項に記載の電源制御装置。
【請求項９】
前記操作部は、ユーザにより押し下されているか否かを通知するプッシュスイッチである
請求項１から７の何れか１項に記載の電源制御装置。
【発明の詳細な説明】
【技術分野】
【０００１】
本発明は、画像形成装置等の電源を制御する電源制御装置に関する。
【背景技術】
【０００２】
従来、画像形成装置には、電源スイッチとしてロッカースイッチを備えていた。しかし、近年、画像形成装置には、外部電力を受けながら主機能を電源オフすることができるプッシュスイッチを備える場合が多い。このようなプッシュスイッチを備えた画像形成装置は、例えば、電源オンまたはオフのタイマー制御等を実現することができる。
【０００３】
また、停電後に外部電力の供給が再開された場合に自動復帰する機能を有する画像形成装置が知られている。このような画像形成装置によれば、停電後に外部電力の供給が再開しても機能が停止し続けてしまうという問題、例えば、停電後にファクシミリの受信ができなくなってしまうという問題を解決することができる。
【０００４】
また、近年、遠隔操作で電力供給を停止および開始することができる電源タップが開発されている。このような電源タップによれば、例えば外出先から、電子機器への電力供給を停止したり開始したりすることができる。
【発明の概要】
【発明が解決しようとする課題】
【０００５】
しかし、停電後に自動復帰する機能を有する画像形成装置は、遠隔操作で電力供給を停止および開始することができる電源タップに接続された場合、電力供給が停止している状態から遠隔操作で電力供給が開始されると、停電で無いにも関わらず自動復帰してしまう。
【０００６】
本発明は、上記に鑑みてなされたものであって、停電等の所定の原因で外部電力の供給が停止した後には外部電力の再開後に自動復帰し、所定の原因以外で外部電力の供給が停止した後には外部電力の再開後に自動復帰させない電源制御装置を提供することを目的とする。
【課題を解決するための手段】
【０００７】
上述した課題を解決し、目的を達成するために、本発明は、外部電力に基づき、対象装置へ供給すべき直流電力を発生する電源部と、ユーザによる電源オンおよび電源オフの操作を受け付ける操作部と、情報を記憶する不揮発性記憶部と、前記操作部が電源オフの操作を受け付けた場合、前記対象装置に予め定められたシーケンスで前記対象装置への前記直流電力の供給をオフするとともに、正常に電源オフされたことを前記不揮発性記憶部に書き込む電源制御部と、を備え、前記外部電力の供給が開始された場合、前記電源制御部は、正常に電源オフされたことが前記不揮発性記憶部に書き込まれていない場合、所定の原因で前記外部電力の供給が停止したかを判断し、所定の原因で前記外部電力の供給が停止したと判断した場合には、前記対象装置への前記直流電力の供給をオンとし、所定の原因以外で前記外部電力の供給が停止したと判断した場合には、前記対象装置への前記直流電力の供給をオフとする電源制御装置を提供する。
【発明の効果】
【０００８】
本発明によれば、停電等の所定の原因で外部電力の供給が停止した後には外部電力の再開後に自動復帰し、所定の原因以外で外部電力の供給が停止した後には外部電力の再開後に自動復帰させないことができる。
【図面の簡単な説明】
【０００９】
【図１】図１は、本実施形態に係る家庭内システムの構成を示す図である。
【図２】図２は、本実施形態に係る画像形成装置の構成を示す図である。
【図３】図３は、外部電力の供給が停止していた状態から外部電力の供給が開始した場合の画像形成装置の処理フローを示す図である。
【図４】図４は、画像形成装置の第１の具体例の処理フローを示す図である。
【図５】図５は、画像形成装置の第２の具体例の処理フローを示す図である。
【図６】図６は、画像形成装置の第３の具体例の処理フローを示す図である。
【図７】図７は、画像形成装置の第４の具体例の処理フローを示す図である。
【図８】図８は、変形例に係る画像形成装置の構成を示す図である。
【図９】図９は、変形例に係る画像形成装置の具体例の処理フローを示す図である。
【発明を実施するための形態】
【００１０】
以下、添付図面を参照して、本発明の実施形態を詳細に説明する。なお、この実施形態によりこの発明が限定されるものではない。
【００１１】
図１は、本実施形態に係る家庭内システム１０の構成を示す図である。家庭内システム１０は、家庭内で用いられる電子機器をネットワーク２０により接続したシステムである。ネットワーク２０は、有線であっても、無線であってもよい。
【００１２】
家庭内システム１０は、一例として、画像形成装置３０と、コンピュータ３１と、電子機器３２と、ルータ３４と、スマートメータ３５と、無線アクセスポイント３６と、電源タップ３７とを備える。画像形成装置３０は、例えば、スキャナ機能、プロッタ機能およびファクシミリ機能等を有する機器である。なお、画像形成装置３０は電源制御をする対象装置の一例であるが、本発明において電源制御をする対象装置は画像形成装置３０に限られない。例えば、対象装置は、画像形成装置３０以外の画像処理装置（例えばプロジェクタ）、または、パーソナルコンピュータ等の情報処理装置等であってもよい。
【００１３】
コンピュータ３１は、いわゆるパーソナルコンピュータである。電子機器３２は、テレビジョン、オーディオ機器および電化製品等のネットワーク２０に接続可能な機器である。
【００１４】
ルータ３４は、外部のネットワークに接続するための接続機器である。スマートメータ３５は、時計機能を有する電力計であって、家庭内の時間帯毎の電力使用量を測定する。スマートメータ３５は、測定した電力使用量を内部の不揮発性メモリ等に記録するとともに、ネットワーク２０を介して電力会社等のサーバに情報を送信する。無線アクセスポイント３６は、例えば、情報端末と無線により通信し、ネットワーク２０上の各機器と情報端末との間のアクセスを中継する。
【００１５】
電源タップ３７は、一方の端子が家の壁等に設けられたコンセントに接続され、他方の端子が電子機器の電源ケーブルに接続され、外部電力（交流電力）を電子機器へと伝送する。電源タップ３７は、一例として、電子機器への外部電力の供給の停止および開始を、ネットワーク２０を介して遠隔操作することができる。本実施形態においては、画像形成装置３０は、電源タップ３７を介して外部電力の供給を受けている。
【００１６】
図２は、本実施形態に係る画像形成装置３０の構成を示す図である。画像形成装置３０は、電源部４１と、操作部４２と、不揮発性記憶部４３と、通信部４４と、電源制御部４５と、画像形成部４６と、主制御部４７とを備える。
【００１７】
電源部４１は、ＡＣ−ＤＣ変換部５１と、スイッチ５２と、第１リセット部５３と、第２リセット部５４とを有する。ＡＣ−ＤＣ変換部５１は、電源タップ３７から外部電力（例えば交流電力）を受け取り、外部電力を直流電力に変換する。
【００１８】
スイッチ５２は、ＡＣ−ＤＣ変換部５１から発生された直流電力を外部へと出力させるか、出力させないかを切り換える。具体的には、スイッチ５２は、オン状態の場合にはＡＣ−ＤＣ変換部５１から発生された直流電力を外部へと出力させ、オフ状態の場合には外部へと出力させない。スイッチ５２は、電源制御部４５によってオン状態およびオフ状態が制御される。また、スイッチ５２は、初期状態（外部電力の供給の開始時）においては、オフ状態となっている。
【００１９】
第１リセット部５３は、電源制御部４５をリセットさせる。第２リセット部５４は、電源制御部４５および主制御部４７をリセットさせる。
【００２０】
電源部４１は、画像形成装置３０の電源制御ブロック（操作部４２、不揮発性記憶部４３および電源制御部４５）および画像形成装置３０の通信機能ブロック（通信部４４）に、ＡＣ−ＤＣ変換部５１から出力された直流電力を直接供給する。なお、電源制御ブロックおよび通信機能ブロックは、電源制御装置として機能する。
【００２１】
また、電源部４１は、画像形成装置３０の主機能ブロック（画像形成部４６および主制御部４７等の対象装置）に、スイッチ５２を介して出力された直流電力を供給する。なお、電源オフ時に通信機能が使用されない場合には、電源部４１は、画像形成装置３０の通信機能ブロック（通信部４４）にスイッチ５２を介して出力された直流電力を供給してもよい。
【００２２】
操作部４２は、ユーザによる電源オンおよび電源オフの操作を受け付ける。操作部４２は、一例として、ユーザにより押し下されているか否かを通知するプッシュスイッチである。
【００２３】
不揮発性記憶部４３は、書き込まれた情報を記憶する。不揮発性記憶部４３は、電源供給が遮断しても記憶した情報を保持し続ける。不揮発性記憶部４３は、一例として、フラッシュメモリである。通信部４４は、外部の機器とネットワーク２０を介して接続する。
【００２４】
電源制御部４５は、電源部４１の制御、並びに、不揮発性記憶部４３への情報の書き込みおよび読み出し等を行う。電源制御部４５は、一例として、演算処理ユニット、ＲＡＭ（Random  Access  Memory）、ＲＯＭ（Read  Only  Memory）およびバスインターフェース等を有する制御用ＩＣである。
【００２５】
電源制御部４５は、一例として、操作部４２の操作に応じて、電源部４１のスイッチ５２を制御する。具体的には、電源制御部４５は、操作部４２がユーザによる電源オンの操作（電源オフの状態において操作部４２を押し下す操作）を受け付けた場合には、電源部４１のスイッチ５２をオフ状態からオン状態に切り換える。これにより、電源制御部４５は、画像形成部４６および主制御部４７へ直流電力の供給を開始して、画像形成装置３０の主機能を起動させることができる。
【００２６】
また、電源制御部４５は、操作部４２がユーザによる電源オフの操作（電源オンの状態において操作部４２を押し下す操作）を受け付けた場合には、スイッチ５２をオン状態からオフ状態に切り換える。これにより、電源制御部４５は、画像形成部４６および主制御部４７への直流電力の供給を停止して、画像形成装置３０の主機能を停止させることができる。
【００２７】
なお、操作部４２がユーザによる電源オンの操作を受け付けた場合、電源制御部４５は、主制御部４７が予め定められたオフ時のシーケンスを実行した後に、スイッチ５２をオン状態からオフ状態に切り換える。さらに、主制御部４７が予め定められたオフ時のシーケンスを実行した場合、電源制御部４５は、正常に電源オフされたことを不揮発性記憶部４３に書き込む。
【００２８】
画像形成部４６は、画像データに応じた画像を用紙に形成する。画像形成部４６は、一例として、パネル６１と、プロッタ６２と、スキャナ６３と、ファクシミリ６４とを有する。
【００２９】
パネル６１は、ユーザから情報を入力し、また、ユーザへ情報を表示する。プロッタ６２は、画像データに応じた画像を用紙に印刷する。スキャナ６３は、用紙に印刷された画像を読み取って画像データを生成する。ファクシミリ６４は、電話回線を介して画像データを送受信する。
【００３０】
主制御部４７は、画像形成装置３０の全体を制御する。主制御部４７は、一例として、ＣＰＵ、ＲＡＭ、ＲＯＭ、フラッシュメモリ、他機器を制御するための各種のインターフェースおよびハードディスクドライブ等を有する。
【００３１】
主制御部４７は、操作部４２がユーザによる電源オンの操作を受け付けたことにより電源部４１から直流電力の供給が開始された場合、予め定められたオン時のシーケンスを実行する。主制御部４７は、一例として、オン時のシーケンスとして、ハードディスクドライブ、フラッシュメモリ、および、画像形成部４６内の各機能を起動させたり、初期化させたりする処理を所定の順序で実行する。
【００３２】
また、主制御部４７は、操作部４２がユーザによる電源オフの操作を受け付けた場合、予め定められたオフ時のシーケンスを実行する。主制御部４７は、一例として、オフ時のシーケンスとして、ＲＡＭに記憶されている情報をハードディスクドライブまたはフラッシュメモリ等に保存したり、ハードディスクドライブ、フラッシュメモリおよび画像形成部４６内の各機能を停止したりする処理を、所定の順序で実行する。そして、主制御部４７は、オフ時のシーケンスが正常に終了した場合には、正常に電源オフされたことを電源制御部４５に通知する。
【００３３】
以上のような構成の画像形成装置３０は、電源オン時には、全ての機能ブロックに直流電力が供給される。また、画像形成装置３０は、電源オフ時には、主機能ブロック（画像形成部４６および主制御部４７）への直流電力の供給が停止され、電源制御ブロック（操作部４２、不揮発性記憶部４３および電源制御部４５）および通信機能ブロック（通信部４４）への直流電力の供給は維持される。なお、電源オフ時に通信機能が使用されない場合には、画像形成装置３０は、電源オフ時には、通信機能ブロック（通信部４４）への直流電源の供給を停止してもよい。
【００３４】
また、画像形成装置３０は、電源オンから電源オフに遷移する場合には、主機能ブロックが所定のシーケンスで機能停止をした後に、主機能ブロックの直流電力の供給が停止される。さらに、画像形成装置３０は、主機能ブロックが所定のシーケンスで正常に機能停止をした場合には、不揮発性記憶部４３に、正常に電源オフされたことが書き込まれる。また、画像形成装置３０は、電源オフから電源オンに遷移する場合には、主機能ブロックへの直流電力の供給が開始された後、主機能ブロックが所定のシーケンスで起動する。
【００３５】
また、このような構成の画像形成装置３０は、電源部４１への外部電力の供給が停止した場合には、全ての機能ブロックへの直流電力の供給が停止する。
【００３６】
そして、画像形成装置３０は、外部電力の供給が停止している状態から電源部４１への外部電力の供給が開始された場合、外部電力の供給が停止した原因に応じて、主機能ブロック（画像形成部４６および主制御部４７）に直流電力を供給するか、供給しないかを切り換える。具体的には、画像形成装置３０は、外部電力の供給の停止原因が所定の原因（例えば、停電）の場合には、主機能ブロックに直流電力を供給し、所定の原因以外の場合には、主機能ブロックに直流電力を供給しない。
【００３７】
図３は、外部電力の供給が停止していた状態から外部電力の供給が開始した場合の画像形成装置３０の処理フローを示す図である。
【００３８】
まず、ステップＳ１１において、外部電力の供給が停止している状態から外部電力の供給が開始される。続いて、ステップＳ１２において、電源部４１は、外部電力に基づき直流電力を発生する。
【００３９】
続いて、ステップＳ１３において、電源制御部４５は、電源部４１から直流電力を受けて起動をする。続いて、ステップＳ１４において、電源制御部４５は、不揮発性記憶部４３にアクセスして、情報を読み出す。続いて、ステップＳ１５において、電源制御部４５は、直前の動作で正常に電源オフされたことが不揮発性記憶部４３に書き込まれているか否かを判断する。
【００４０】
正常に電源オフされたことが不揮発性記憶部４３に書き込まれている場合（ステップＳ１５のＹｅｓ）、電源制御部４５は、そのまま本フローの処理を終了する。ここで、スイッチ５２は、外部電力の供給の開始時には、初期状態（オフ状態）となっている。従って、電源制御部４５は、そのまま本フローの処理を終了することにより、画像形成部４６および主制御部４７への直流電力の供給をオフとすることができる。例えばユーザが操作部４２（プッシュボタン）を押し下して画像形成装置３０の電源をオフした後に、電源タップ３７から画像形成装置３０の電源ケーブルを抜いて外部電力の供給が停止された場合、正常に電源オフされたことが不揮発性記憶部４３に書き込まれている。従って、電源制御部４５は、正常に電源オフされたことが不揮発性記憶部４３に書き込まれている場合に処理をそのまま終了することにより、画像形成装置３０を外部電力の供給が停止される直前の状態（オフ状態）に戻すことができる。
【００４１】
また、正常に電源オフされたことが不揮発性記憶部４３に書き込まれていない場合（ステップＳ１５のＮｏ）、電源制御部４５は、処理をステップＳ１６に進める。ステップＳ１６において、電源制御部４５は、所定の原因で外部電力の供給が停止したかを判断する。ここで、所定の原因とは、例えば停電である。
【００４２】
所定の原因（例えば停電）により外部電力の供給が停止したと判断した場合には（ステップＳ１６のＹｅｓ）、電源制御部４５は、処理をステップＳ１７に進める。ステップＳ１７において、電源制御部４５は、電源部４１のスイッチ５２をオフ状態からオン状態に切り換えて、主制御部４７および画像形成部４６への直流電力の供給を開始させる。
【００４３】
続いて、ステップＳ１８において、主制御部４７は、電源部４１から直流電力を受けて起動をする。続いて、ステップＳ１９において、主制御部４７は、予め定められたオン時のシーケンスを実行して、各機能の動作を開始させる。より具体的には、主制御部４７は、ハードディスクドライブ、フラッシュメモリ、および、画像形成部４６内の各機能を初期化したり、起動したりする処理を所定の順序で実行する。そして、主制御部４７は、オン時のシーケンスの実行が完了すると、本フローを終了する。
【００４４】
このように、ユーザの意図とは異なる所定の原因（例えば停電）によって外部電力の供給が停止した場合、電源制御部４５は、画像形成装置３０を外部電力の供給が停止される直前の状態（オン状態）に戻すことができる。
【００４５】
一方、所定の原因以外で外部電力の供給が停止したと判断した場合には（ステップＳ１６のＮｏ）、電源制御部４５は、そのまま本フローの処理を終了する。所定の原因以外での電源供給の停止は、電源オンをしている状態でユーザが電源タップ３７から電源ケーブルを抜いたり、遠隔操作により電源タップ３７からの電力供給を停止させたりしたことによる停止であると推定される。すなわち、所定の原因以外での電源供給の停止は、ユーザの意図による電源供給の停止であると推定される。従って、電源制御部４５は、所定の原因以外で外部電力の供給が停止したと判断した場合に処理をそのまま終了することにより、ユーザの意図に従って画像形成装置３０をオフ状態とすることができる。
【００４６】
以上のように、画像形成装置３０によれば、所定の原因（例えば停電）で外部電力の供給が停止した後には外部電力の再開後に自動復帰し、所定の原因以外で外部電力の供給が停止した後には外部電力の再開後に自動復帰させないことができる。さらに、画像形成装置３０によれば、所定の原因（例えば停電）以外で外部電力の供給が停止した場合には自動復帰しないので、オフ時のシーケンスが守られなかった場合の電源復帰が限定されて、安全性の面からも好適である。
【００４７】
図４は、画像形成装置３０の第１の具体例の処理フローを示す図である。画像形成装置３０は、外部電力の供給が開始した場合、例えば、以下のステップＳ２１からステップＳ３０の処理を実行してもよい。
【００４８】
ステップＳ２１からステップＳ２５において、電源制御部４５は、図３のステップＳ１１からステップＳ１５の処理と同一の処理を実行する。ステップＳ２５の判断の結果、正常に電源オフされたことが不揮発性記憶部４３に書き込まれていない場合（ステップＳ２５のＮｏ）、電源制御部４５は、処理をステップＳ２６に進める。
【００４９】
ステップＳ２６において、電源制御部４５は、不揮発性記憶部４３に記憶された正常に電源オフをしなかった回数に、１を加える。なお、不揮発性記憶部４３に記憶された正常に電源オフしなかった回数は、一例として、一定期間内（例えば一ヶ月）での回数である。
【００５０】
続いて、ステップＳ２７において、電源制御部４５は、正常に電源オフしなかった回数が設定値以下であるかを判断する。正常に電源オフしなかった回数が設定値以下であると判断した場合には（ステップＳ２７のＹｅｓ）、電源制御部４５は、処理をステップＳ２８からステップＳ３０に進める。ステップＳ２８からステップＳ３０において、電源制御部４５および主制御部４７は、図３のステップＳ１７からステップＳ１９の処理と同一の処理を実行する。
【００５１】
一方、正常に電源オフしなかった回数が設定値以下ではないと判断した場合には（ステップＳ２７のＮｏ）、電源制御部４５は、そのまま本フローの処理を終了する。
【００５２】
第１の具体例では、一般に停電の頻度は少ないので、一定期間内における正常に電源オフしなかった数が設定値以下であれば、電源制御部４５は、外部電力の供給停止が停電によるものと推定する。また、設定値より多い場合には、電源制御部４５は、外部電力の供給停止が停電によるものとは推定しない。なお、設定値は、使用環境に応じて変更されることが望ましい。例えば、日本では停電が非常に少ないので、電源制御部４５は、例えば１ヶ月に５回を設定値として設定する。
【００５３】
このような第１の具体例では、正常に電源オフしなかった回数を設定値と比較して判断するので、電源制御部４５は、停電により外部電力の供給が停止したのか否かを簡易に判断することができる。
【００５４】
図５は、画像形成装置３０の第２の具体例の処理フローを示す図である。画像形成装置３０は、外部電力の供給が開始した場合、例えば、以下のステップＳ３１からステップＳ４０の処理を実行してもよい。
【００５５】
ステップＳ３１からステップＳ３５において、電源制御部４５は、図３のステップＳ１１からステップＳ１５の処理と同一の処理を実行する。ステップＳ３５の判断の結果、正常に電源オフされたことが不揮発性記憶部４３に書き込まれていない場合（ステップＳ３５のＮｏ）、電源制御部４５は、処理をステップＳ３６に進める。
【００５６】
ステップＳ３６において、電源制御部４５は、通信部４４を介して、外部のサーバ（例えば停電情報を提供している電力会社または民間のサーバ）から、停電が生じた場所および時間を示す停電情報を取得する。続いて、ステップＳ３７において、電源制御部４５は、取得した停電情報に基づき、外部電力の供給が開始した直前まで、停電で外部電力の供給が停止したかを判断する。
【００５７】
停電で外部電力の供給が停止したと判断した場合には（ステップＳ３７のＹｅｓ）、電源制御部４５は、処理をステップＳ３８からステップＳ４０に進める。ステップＳ３８からステップＳ４０において、電源制御部４５および主制御部４７は、図３のステップＳ１７からステップＳ１９の処理と同一の処理を実行する。
【００５８】
一方、停電で外部電力の供給が停止しなかったと判断した場合には（ステップＳ３７のＮｏ）、電源制御部４５は、そのまま本フローの処理を終了する。
【００５９】
第２の具体例では、外部のサーバ等から提供される停電情報を取得して判断するので、電源制御部４５は、停電により外部電力の供給が停止したのか否かを正確に判断することができる。
【００６０】
図６は、外部電力の供給が開始した場合の、画像形成装置３０の第３の具体例の処理フローを示す図である。画像形成装置３０は、外部電力の供給が開始した場合、例えば、以下のステップＳ４１からステップＳ５０の処理を実行してもよい。
【００６１】
ステップＳ４１からステップＳ４５において、電源制御部４５は、図３のステップＳ１１からステップＳ１５の処理と同一の処理を実行する。ステップＳ４５の判断の結果、正常に電源オフされたことが不揮発性記憶部４３に書き込まれていない場合（ステップＳ４５のＮｏ）、電源制御部４５は、処理をステップＳ４６に進める。
【００６２】
ステップＳ４６において、電源制御部４５は、通信部４４を介してネットワーク２０上のスマートメータ３５から電力使用量を取得する。
【００６３】
続いて、ステップＳ４７において、電源制御部４５は、取得した電力使用量に基づき、停電で外部電力の供給が停止したかを判断する。より具体的には、電源制御部４５は、外部電力の供給の停止前と外部電力の開始後との間に電力使用量の連続性があるか否かを判断し、連続性がある場合には停電で外部電力の供給が停止したと判断する。
【００６４】
ここで、停電時は、家内の全ての電力供給が停止している状態であり、家内全体の電力使用量は増加しない。一方で、画像形成装置３０だけの外部電力の供給が停止している場合、その他の家電の電力が使用されることにより家内全体の電力使用量は増えていく。
【００６５】
そこで、電源制御部４５は、外部電力の供給の停止前と外部電力の開始後との間に電力使用量の連続性がある場合、すなわち、外部電力の供給の停止時点と外部電力の開始点との間で、他の機器による電力消費が無い場合には、停電で外部電力の供給が停止したと判断する。反対に、電源制御部４５は、外部電力の供給の停止前と外部電力の開始後との間に電力使用量の連続性が無い場合、すなわち、外部電力の供給の停止時点と外部電力の開始点との間で、他の機器による電力消費がある場合には、停電以外の原因で外部電力の供給が停止したと判断する。
【００６６】
停電で外部電力の供給が停止したと判断した場合には（ステップＳ４７のＹｅｓ）、電源制御部４５は、処理をステップＳ４８からステップＳ５０に進める。ステップＳ４８からステップＳ５０において、電源制御部４５および主制御部４７は、図３のステップＳ１７からステップＳ１９の処理と同一の処理を実行する。
【００６７】
一方、停電で外部電力の供給が停止しなかったと判断した場合には（ステップＳ４７のＮｏ）、電源制御部４５は、そのまま本フローの処理を終了する。
【００６８】
第３の具体例では、家内の機器にアクセスして停電であるか否かを判断するので、電源制御部４５は、その家に関するより正確な情報を取得して、停電により外部電力の供給が停止したのか否かをより正確に判断することができる。
【００６９】
図７は、画像形成装置３０の第４の具体例の処理フローを示す図である。画像形成装置３０は、外部電力の供給が停止して一定期間経過後に、外部電力の供給が開始する場合、例えば、以下のステップＳ５１からステップＳ６３の処理を実行してもよい。
【００７０】
まず、ステップＳ５１において、電源制御部４５は、通信部４４を介して、電源タップ３７への電力供給の停止コマンドが与えられたことを、無線アクセスポイント３６から受信する。なお、無線アクセスポイント３６は、例えば外部の情報端末から電源タップ３７への電力供給の停止コマンドを受信した場合には、画像形成装置３０へその旨を通知する機能を有する。
【００７１】
続いて、ステップＳ５２において、電源制御部４５は、不揮発性記憶部４３に、電源タップ３７へ電力供給の停止コマンドが与えられたことを書き込む。続いて、ステップＳ５３において、外部電力の供給が停止し、電源部４１は、直流電力の発生を停止する。
【００７２】
続いて、電力供給が再開すると、ステップＳ５４からステップＳ５８において、電源制御部４５は、図３のステップＳ１１からステップＳ１５の処理と同一の処理を実行する。ステップＳ５８の判断の結果、正常に電源オフされたことが不揮発性記憶部４３に書き込まれていない場合（ステップＳ５８のＮｏ）、電源制御部４５は、処理をステップＳ５９に進める。
【００７３】
ステップＳ５９において、電源制御部４５は、不揮発性記憶部４３にアクセスして情報を読み出す。続いて、ステップＳ６０において、電源制御部４５は、不揮発性記憶部４３から読み出した情報に基づき、電力供給の停止コマンドが電源タップ３７に与えられたことにより外部電力の供給が停止したかを判断する。
【００７４】
電力供給の停止コマンドが電源タップ３７に与えられたことにより外部電力が停止したのではないと判断した場合には（ステップＳ６０のＮｏ）、電源制御部４５は、処理をステップＳ６１からステップＳ６３に進める。ステップＳ６１からステップＳ６３において、電源制御部４５および主制御部４７は、図３のステップＳ１７からステップＳ１９の処理と同一の処理を実行する。
【００７５】
一方、電力供給の停止コマンドが電源タップ３７に与えられたことにより外部電力が停止したと判断した場合には（ステップＳ６０のＹｅｓ）、電源制御部４５は、そのまま本フローの処理を終了する。このような第４の具体例では、電源タップ３７に与えられるコマンドにより判断するので、電源制御部４５は、ユーザが自己の意思で電力供給を停止したのか否かを正確に判断することができる。
【００７６】
図８は、変形例に係る画像形成装置３０の構成を示す図である。変形例に係る画像形成装置３０は、図２に示した画像形成装置３０と略同一の構成および機能を有する。従って、略同一の構成および機能を有する部材には同一の符号を付けて、相違点を除き説明を省略する。
【００７７】
変形例に係る画像形成装置３０は、二次電池７１と、検知部７２とを更に備える。二次電池７１は、電源部４１から電源制御部４５等への直流電力の供給ラインに設けられる。これにより、二次電池７１は、外部電力の供給が停止した場合に電源制御部４５等に電力を供給することができる。
【００７８】
検知部７２は、電源部４１に与えられる外部電力の供給が停止したか否かを検出する。検知部７２には、スイッチ５２を介さずに、ＡＣ−ＤＣ変換部５１から直流電力が与えられる。これにより、検知部７２は、外部電力の供給が停止した場合にも、二次電池７１から直流電力が与えられ、動作を継続できる。検知部７２は、検知した情報を電源制御部４５へ通知する。
【００７９】
図９は、変形例に係る画像形成装置３０の具体例の処理フローを示す図である。図８に示した構成の画像形成装置３０は、外部電力の供給が停止して一定期間経過後に、外部電力の供給が開始する場合、例えば、以下のステップＳ７１からステップＳ８４の処理を実行する。
【００８０】
まず、ステップＳ７１において、電源タップ３７から外部電力の供給が停止すると、電源部４１は、直流電力の発生を停止する。続いて、ステップＳ７２において、検知部７２は、外部電力の供給が停止したことを検知して、電源制御部４５に通知する。
【００８１】
続いて、ステップＳ７３において、電源制御部４５は、通信部４４を介してネットワーク２０に接続可能かを検知する。例えば、停電の場合、家内の全ての電子機器への電力供給が停止するので、電源制御部４５は、ネットワーク２０に接続することができない。これに対して、例えばユーザの意思により電源タップ３７からの電力供給が停止した場合には、他の電子機器への電力供給は停止していないので、電源制御部４５は、ネットワーク２０に接続することができる。続いて、ステップＳ７４において、電源制御部４５は、ネットワーク２０に接続可能か否かの検出結果を不揮発性記憶部４３に書き込む。
【００８２】
続いて、電力供給が再開すると、ステップＳ７５からステップＳ７９において、電源制御部４５は、図３のステップＳ１１からステップＳ１５の処理と同一の処理を実行する。ステップＳ７９の判断の結果、正常に電源オフされたことが不揮発性記憶部４３に書き込まれていない場合（ステップＳ７９のＮｏ）、電源制御部４５は、処理をステップＳ８０に進める。
【００８３】
ステップＳ８０において、電源制御部４５は、不揮発性記憶部４３にアクセスして情報を読み出す。続いて、ステップＳ８１において、電源制御部４５は、不揮発性記憶部４３から読み出した情報に基づき、外部電力の供給が停止している間にネットワーク２０に接続できたか否かを判断する。
【００８４】
外部電力の供給停止時にネットワーク２０に接続できなかったと判断した場合には（ステップＳ８１のＮｏ）、電源制御部４５は、処理をステップＳ８２からステップＳ８４に進める。ステップＳ８２からステップＳ８４において、電源制御部４５および主制御部４７は、図３のステップＳ１７からステップＳ１９の処理と同一の処理を実行する。
【００８５】
一方、外部電力の供給停止時にネットワーク２０に接続できた場合には（ステップＳ８１のＹｅｓ）、電源制御部４５は、そのまま本フローの処理を終了する。このような具体例では、二次電池７１により電源制御部４５を動作させて、外部電力の供給停止時にネットワーク２０に接続できるか否かを判断するので、電源制御部４５は、他の機器から情報を取得することなく、停電により外部電力の供給が停止したのか否かを正確に判断することができる。
【００８６】
なお、以上の実施形態では、本発明を画像形成装置３０に適用した場合について説明したが、本発明は画像形成装置３０に限らずどのような電子機器の電源制御に適用してもよい。
【符号の説明】
【００８７】
１０  家庭内システム
２０  ネットワーク
３０  画像形成装置
３１  コンピュータ
３２  電子機器
３４  ルータ
３５  スマートメータ
３６  無線アクセスポイント
３７  電源タップ
４１  電源部
４２  操作部
４３  不揮発性記憶部
４４  通信部
４５  電源制御部
４６  画像形成部
４７  主制御部
５１  ＡＣ−ＤＣ変換部
５２  スイッチ
５３  第１リセット部
５４  第２リセット部
６１  パネル
６２  プロッタ
６３  スキャナ
６４  ファクシミリ
７１  二次電池
７２  検知部
【先行技術文献】
【特許文献】
【００８８】
【特許文献１】特開２０１２−１７５４９６号公報
【特許文献２】特開２０１１−１６０５２６号公報
【図１】
2015041806.tif 000003
【図２】
2015041806.tif 000004
【図３】
2015041806.tif 000005
【図４】
2015041806.tif 000006
【図５】
2015041806.tif 000007
【図６】
2015041806.tif 000008
【図７】
2015041806.tif 000009
【図８】
2015041806.tif 000010
【図９】
2015041806.tif 000011